(57)【要約】      （修正有）【課題】係留ロープを係留リングに通し、係留ロープを船舶まで掛け渡すための係留補助装置において、可動機構を排除しつつ、ロープ先端を確実に楔状のロープ先端係合部に誘導することができる係船補助装置を提供する。【解決手段】略Ｕ字状に分岐した２本の指部２、３の一方の指部２の先端をロープ仮固定支持部２１とし、他方の指部３の内側には、パイプに楔状の先細開口部３１を形成することによりロープ先端係合部を設け、係留ロープをロープ仮固定支持部から先端係合部に掛け渡すことができる係船補助装置において、係留ロープ内部に復元力を有する弾発手段を封入する。これにより、可動機構を排除しつつロープ先端を確実に楔状のロープ先端係合部に誘導することができる。【選択図】図１
0003226081.tif 000002
【実用新案登録請求の範囲】
【請求項１】
係留ロープと、略Ｕ字状に分岐した２本の指部の一方の指部の先端を前記ロープ仮固定支持部とし、他方の指部の内側に、前記ロープ先端と係合可能なように、当該指部先端に向けて先細となる楔状の開口部を設けた本体からなる係船補助装置であって、少なくとも前記仮固定支持部から前記楔状の開口部に掛け渡された範囲の前記ロープ内部に復元力を有する弾発手段を封入した係船補助装置。
【請求項２】
前記復元力を有する弾発手段がコイルスプリングである請求項１記載の係船補助装置。
【請求項３】
前記他方の指部の長さが、前記一方の指部の長さと略同一以上の長さである、請求項１または２記載の係船補助装置。
【請求項４】
前記他方の指部の先端が、先端に向けて徐々に細くされている請求項１ないし３いずれか一項に記載の係船補助装置。
【考案の詳細な説明】
【技術分野】
【０００１】本考案は船舶を港の岸壁や浮きブイに係船する際に、係留ロープを岸壁や浮きブイの係船リング、係船アイ等（以下「係留リング」）に通し、係留ロープを船舶まで掛け渡すための補助装置に関する。
【背景技術】
【０００２】船舶が港の岸壁や浮きブイに係船する際には、係留ロープを係留リングに通し、係留ロープを船舶まで掛け渡して係船する必要がある。
岸壁に人手がある場合は、係留ロープを投げ渡す等により、岸壁と船舶との間の係留ロープの掛け渡しが可能となるが、岸壁に人手がない、あるいは浮ブイの場合には、船舶上から岸壁や浮ブイに係留ロープを掛け渡す作業が必要となる。【０００３】このような作業のため、従来、文献１から３に記載されているような、係船補助具の設けられた長尺棒（ボートフック）を船舶上から用い、係留リングにロープを通して掛け渡すための係船補助装置が知られている。
【先行技術文献】
【０００４】文献１．米国特許第３８１３１２２号明細書
文献２．国際公開第９２／０５９９６号
文献３．特開２００３−１６００９４号公報
【考案の概要】
【考案が解決しようとする課題】
【０００５】これらの装置は係留ロープ掛け渡しに一定の効果はあるものの、可動部を有するため、損傷や錆び付きによる固着等で機能の損失が生じることがある。また、文献２，３にあっては、ロープの柔軟性のため、ロープ先端が確実にロープ係合部に再係合せず、やり直しを必要とするケースも生じていた。
そこで、本考案は、文献２に記載されているごとき略Ｕ字状に分岐した２本の指部の一方の内側に楔状のロープ先端係合部を設けた係留補助装置において、可動部を排除し、さらにロープ先端を確実に楔状のロープ先端係合部に誘導することができる係船補助装置を提供することを課題とする。
【課題を解決するための手段】
【０００６】本考案は、略Ｕ字状に分岐した２本の指部の一方の指部の先端をロープ仮固定支持部とし、他方の指部の内側に楔状のロープ先端係合部を設け、係留ロープをロープ仮固定支持部から先端係合部に掛け渡すことができる本体を有する係船補助装置において、係留ロープ内部に復元力を有する弾発手段を封入することにより、前記両課題を解決したものである。
【考案の効果】
【０００７】本考案によれば、係留ロープが係留リングを超えた際、係留ロープ内部に封入した弾発手段の弾発力により、係留ロープ先端がロープ先端係合部に確実に戻ることができる。そのため、装置に可動部を設けることなく、係留ロープを係留リングに確実に掛け渡すことができるので、錆び付き等の故障がなく確実な係留作業が可能となる。
【図面の簡単な説明】
【０００８】
【図１】本考案装置の本体
【図２】本考案装置に用いる係留ロープ先端部の加工例
【図３】本考案装置を用いて係留ロープを係留リングに掛け渡す際の作用図
【考案を実施するための形態】
【０００９】（装置本体）
本考案装置の詳細を図１に基づいて説明する。
図１（ａ）は、装置本体の縦断面図である。装置本体１は軽量化と腐食防止のためステンレスまたはアルミニウム製のパイプで形成され、略Ｕ字状に分岐した２本の指部２，３を有する。一方の指部２の先端には、係留ロープを仮固定して支持する仮固定支持部２１が設けられ、他方の指部３の内側面（一方の指部２と対向する面）にはパイプに楔状の先細開口部３１を形成することによりロープ先端係合部が設けられている。
【００１０】一方の指部２の先端に設けられた仮固定支持部２１は、係留ロープが係留リングを超え、その先端部が一旦楔状の開口部から外れた後、ロープの復元力によって再度楔状の開口部３１に戻って係合するまで、係留ロープの位置を固定して支持する機能を有するもので、弾発性を有するステンレスクリップ、面ファスナ等が設けてある。
【００１１】他方の指部３の内側面に形成された楔状の開口部３１は、用いるロープ先端の入り込みと離脱が可能であると共に、そのロープ径に合わせ、入り込んだロープ先端が楔の開口先端部近傍（開口幅が細くなった部分）でロープと係合してその先端を固定できるような大きさに、先細状に設けられる。
【００１２】他方の指部３は、係留リングと岸壁地面との間に潜り込ませる場合も想定されるため、２本の指部の対向面側を先端に向けて徐々に細く加工することが好ましく、一方の指部２の長さと同じもしくは少し長くする。
【００１３】（係留ロープ）
係留ロープ４は編みロープ、特に外被覆を有する編みロープが好ましく、その先端部内部には復元力を有する弾発手段が封入されている。弾発手段は、鋼、スプリング、ゴム棒、ＦＲＰ、それらの複合材料等が考えられるが、耐腐食性、耐久性、ロープ内部への封入のし易さの観点から、ステンレス製コイルスプリングが好ましい。また、この弾発手段の復元力によってロープ先端部の再係合を行うものであるから、弾発手段は、少なくとも一方の指部２に設けられている仮固定支持部２１から、楔状の開口部３１に至る長さ以上にわたって封入されている必要がある。
【００１４】また、係留ロープ先端部は楔状の開口部との係合を確実にするため、その先端を溶融して焼き固めたり、先端部に固い部材を埋め込む等の加工を行うと良い。封入したコイルスプリングの先端部をその長手方向に潰して平板円環状に加工しても良い。
【００１５】図２に、外被覆を有する編みロープに弾発手段としてコイルスプリングを封入した先端部の加工手順の例を示す。
（ａ）係留ロープ４の外被覆を剥いて編みロープ芯を露出させる。
（ｂ）コイルスプリング５を編みロープ芯の外側に挿入する。
（ｃ）外被覆をスプリングの外側に被せて戻し、係留ロープ先端に、溶融焼き固め、スプリング先端を平板円環状に加工する等の加工を施す。
【００１６】（係留リングへの係留ロープの掛け渡し）
図３は本考案装置によって係留ロープを係留リングに掛け渡す際の装置の作用図である。
【００１７】船舶上で係留ロープ先端部が楔状開口部３１の先端部分と係合状態を保てる位置に係留ロープの中間部を仮固定支持部２１に仮固定して支持する（初期状態  図３（ａ））。
初期状態に係留ロープがセットされた装置を、係留リングに向けて進行させる（図３（ｂ））。装置が係留リング６に到達した後さらに装置を押し進めると、セットされた係留ロープ４が弾性変形し、係留ロープ４は係留リング６を超える（図３（ｃ））。その後、係留ロープは弾性部材の復元力により元の位置に戻り、その先端部が再度楔状の開口部に係合する（図３（ｄ））。先端部の加工により係留ロープは楔状開口部３１の先端部分と係合状態を保つため、そのまま装置を操作者の手元方向に引くと、指部２の先端に設けた係留ロープを仮固定して支持する固定支持部２１から係留ロープが外れ（図３（ｅ））、係船ロープを係留リングを通して掛け渡すことができる。（図３（ｆ））
【００１８】（付加的態様）
以上、本考案装置の基本構造及び作用について説明したが、係留ロープは掛け渡し用のロープであって、掛け渡し終了後に別の係留ロープ（本舫ロープ）に交換することは通常行われていることである。
また、仮固定支持部２１による係留ロープの仮固定が十分でないおそれがあるため、一方の指部２の外側上であって、２つの指部の分岐部までの間に、例えば係留ロープが係留リング内に通ったあとで、係留ロープの固定を解除可能な第２の固定支持部ステンレスクリップ、面ファスナ等を設けても良い。
【符号の説明】
【００１９】１    装置本体
２    一方の指部
２１  仮固定支持部
３    他方の指部
３１  楔形の開口部
４    係留ロープ
５    コイルスプリング
６    係留リング
【図１】
0003226081.tif 000003
【図２】
0003226081.tif 000004
【図３】
0003226081.tif 000005